(57)【要約】【課題】  印刷媒体や記録媒体に記録された電話番号情報を読み取ることにより、電話又は携帯電話の電話番号を簡単に変更可能とする汎用の電話番号変換装置を得る。【解決手段】  電話番号情報が印刷されたバーコード６から電話番号情報を読み取るバーコードリーダー２と、読み取った電話番号情報を電話又は携帯電話の電話番号データに変換するバーコード情報変換手段と、この電話番号データを電話又は携帯電話装置の機種毎に異なる電話又は携帯電話装置書き込みデータに変換するデータ変換手段と、前記電話又は携帯電話装置書き込みデータを拡張コネクタ５を介して電話又は携帯電話装置４側へ転送して書き込み、電話又は携帯電話装置側に記憶されている電話番号に対応する電話番号データの変換を行う制御手段とを具備する電話番号変換装置を有した電話又は携帯電話装置とする。【選択図】    図２
0003110382.tif 000002
【実用新案登録請求の範囲】
【請求項１】
電話又は携帯電話（ＴＶ受信機を合体したものを含む）の拡張コネクタに接続される出力端子を有し、該出力端子を前記拡張コネクタに接続することにより、前記電話又は携帯電話側に記憶されている電話番号データの変換を行う電話番号変換装置を有する電話又は携帯電話装置であって、電話番号情報が表示された印刷媒体又は記録された記録媒体から前記電話番号情報を読み取る手段と、前記読取手段で読み取った電話番号情報を電話又は携帯電話の電話番号データに変換する電話番号情報変換手段と、前記電話番号データを電話又は携帯電話（ＴＶ受信機を合体したものを含む。）書き込みデータに変換するデータ変換手段と、前記電話又は携帯電話書き込みデータを前記拡張コネクタを介して電話又は携帯電話側へ転送して書き込み、電話番号に対応する電話番号データの変換を行う制御手段とを具備することを特徴とする電話番号変換装置を有した電話又は携帯電話装置。
【請求項２】
電話番号情報変換手段で変換した電話番号データを記憶する記憶手段を有する請求項１に記載の電話番号変換装置を有した電話又は携帯電話装置。
【請求項３】
読取手段が電話番号変換装置本体に装着された請求項１又は２項に記載の電話番号変換装置を有した電話又は携帯電話装置。
【請求項４】
電話番号変換装置が電話又は携帯電話（ＴＶ受信機を合体したものを含む。）装置本体に装着された請求項１〜３のいずれか１項に記載の電話番号変換装置。
【請求項５】
電話又は携帯電話（ＴＶ受信機を合体したものを含む。）の拡張コネクタに接続される出力端子を有し、該出力端子を前記拡張コネクタに接続することにより、前記電話又は携帯電話側に記憶されている電話番号データの変換を行う電話番号変換装置を有する電話又は携帯電話装置であって、電話番号情報がバーコードで表示されたバーコード情報を読み取る読取手段と、前記読取手段で読み取ったバーコード情報を電話又は携帯電話（ＴＶ受信機を合体したものを含む。）の電話番号データに変換するバーコード情報変換手段と、前記電話又は携帯電話書き込みデータを電話又は携帯電話の機種毎に異なる携帯電話書き込みデータに変換するデータ変換手段と、前記携帯電話書き込み、データを前記拡張コネクタを介して電話又は携帯電話側へ転送して書き込み電話番号に対応する電話番号データの変換を行う制御手段とを、具備することを特徴とする電話番号変換装置を有した電話又は携帯電話装置。
【請求項６】
バーコード情報は、電話番号情報を圧縮加工して又は圧縮加工しないで印刷する請求項５に記載の電話番号変換装置を有した電話又は携帯電話装置。
【請求項７】
バーコード情報変換手段で変換した電話番号データを記憶する記憶手段を有する請求項５又は６項に記載の電話番号変換装置を有した電話又は携帯電話装置。
【請求項８】
データ変換手段は、ＩＣカードが着脱自在なＩＣカード装着部を有し、該ＩＣカードに記録されている電話又は携帯電話（ＴＶ受信機を合体したものを含む。）の機種によって異なる機種データにより、電話番号データを電話又は携帯電話書き込みデータに変換する請求項５〜７のいずれか１項に記載の電話番号変換装置を有した電話又は携帯電話装置。
【請求項９】
読取手段が電話番号変換装置本体に装着された請求項５〜８のいずれか１項に記載の電話番号変換装置を有した電話又は携帯電話装置。
【考案の詳細な説明】
【技術分野】
【０００１】
本考案は、電話又は携帯電話の電話番号を好みの番号に変更するための電話番号変換装置を有した電話又は携帯電話装置に係り、特に、簡単且つ自動的に電話番号が変更できる装置に関する。
【背景技術】
【０００２】
電話又は携帯電話の電話番号は、通常、複数種類の電話番号パターンや電話番号から選択することが行われている。また、電話又は携帯電話の機種によっては、電話番号を自由に作成できる機能を有するものが存在する。この機能は、例えば、電話又は携帯電話を電話番号作成モードに設定し、電話又は携帯電話に備えられている数字等のボタンを各番号に対応させ、順次ボタンを押すことにより一番号づつ入力して電話番号を完成させるものである。
【考案の開示】
【考案が解決しようとする課題】
【０００３】
しかしながら、上述した手順による電話番号の入力であると、一番号づつ入力するため繁雑であり、電話番号全体を入力するのに時間がかかるという問題点があった。
【０００４】
本考案は上記実情に鑑みてなされたものであり、印刷媒体や記録媒体に記録された電話番号情報を読み取ることにより、電話又は携帯電話の電話番号を簡単に変更可能とする汎用の電話番号変換装置を有した電話又は携帯電話装置を提供することを目的としている。
【課題を解決するための手段】
【０００５】
上記目的を達成するため考案は、電話又は携帯電話の拡張コネクタに接続される出力端子を有し、該出力端子を前記拡張コネクタに接続することにより、前記電話又は携帯電話側に記憶されている電話番号データの変換を行う電話番号変換装置を有した電話又は携帯電話装置であって、次の構成を含むことを特徴としている。
読取手段。この読取手段は、電話番号情報が表示された印刷媒体又は記録された記録媒体から前記電話番号情報を読み取るものである。
電話番号情報変換手段。この電話番号情報変換手段は、前記読取手段で読み取った電話番号情報を電話又は携帯電話の電話番号データに変換するものである。
データ変換手段。このデータ変換手段は、前記電話番号データを電話又は携帯電話の機種毎に異なる電話又は携帯電話書き込みデータに変換するものである。
制御手段。この制御手段は、前記電話又は携帯電話書き込みデータを前記拡張コネクタを介して電話又は携帯電話側へ転送して書き込み、電話番号に対応する電話番号データの変換を行うものである。
【０００６】
上記構成の考案によれば、印刷媒体又は記録媒体から前記番号情報を読み取り、電話又は携帯電話の電話番号データとして書き込みを行うので、簡単且つ自動的に電話又は携帯電話の電話番号を変更することができる。
【０００７】
電話番号情報が表示された印刷媒体とは、電話番号情報がバーコードで表示された紙やシール体等であり、電話番号情報が記録された記録媒体とは、磁気カードやフロッピーディスク（登録商標）、ＣＤディスク等である。
【０００８】
特に、経済性や量産性の面から、電話番号情報がバーコードで表示されていることが好ましい。この場合、電話番号変換装置の電話番号情報変換手段としては、電話番号情報がバーコードで表示されたバーコード情報を読み取る読取手段と前記読取手段で読み取ったバーコード情報を電話又は携帯電話の電話番号データに変換するバーコード情報変換手段とを、具備するようになっている。
【０００９】
また、バーコードに表示されたバーコード情報は、電話番号情報を圧縮加工して印刷するのが良好である。バーコードの長さを短くし、読み取りに際しての容易化を図るためである。
【００１０】
また、バーコード情報変換手段で変換した電話番号データを記憶する記憶手段を有することにより、読み取った複数の電話番号を記憶させておくことができる。
【００１１】
電話番号データを電話又は携帯電話書き込みデータに変換する場合、電話又は携帯電話の機種により変換情報（データフォーマット、書き込むためのコマンド等）としての機種データが異なるが、データ変換手段がＩＣカード装着部を有することにより、ＩＣカードを取り替えることにより、該ＩＣカードに記録されている電話又は携帯電話の種類によって異なる機種データをデータ変換手段に与えることができる。
【００１２】
また、読取手段が電話番号変換装置を有した電話又は携帯電話装置本体に装着されることにより、一体化した電話番号変換装置を有した電話又は携帯電話装置とすることができる。
【考案の効果】
【００１３】
本考案の電話番号変換装置によれば、印刷媒体又は記録媒体から前記電話番号情報を読み取り、電話又は携帯電話装置の電話番号データに変換し、電話又は携帯電話装置書き込みデータに変更し、電話又は携帯電話装置に対して、電話番号の書き込みを行うので、繁雑な操作を必要とすることなく、簡単且つ自動的に電話又は携帯電話装置の電話番号を変更することができる。
【考案を実施するための最良の形態】
【００１４】
本考案の実施の形態の一例について、図面を参照しながら説明する。
図１は本考案の電話番号変換装置の構成を示すブロック図であり、図２は電話番号変換装置を有した電話又は携帯電話装置の外観説明図である。
電話番号変換装置を有した電話又は携帯電話装置は、図２に示すように、アダプタ本体１と、読取手段としてのバーコードイメージリーダー２と、電話又は携帯電話４の拡張端子５に接続される出力端子３とを具備して構成されている。
【００１５】
バーコードイメージリーダー２は、印刷媒体に印刷されたバーコード６を電気信号として読み取るためのものであり、このバーコード６には、電話番号全体に対応する番号から成る電話番号情報が含まれている。また、このバーコード６は、電話番号情報を圧縮加工処理した状態で印刷することにより、長さを小さくできる。
【００１６】
圧縮加工処理には、一般的な圧縮技術を使用し、例えば、一つの番号に対して後に続く番号を予測し、データの短縮化を図って加工処理するものである。
【００１７】
そして、バーコードイメージリーダー２の先端にはセンサ２aが装着され、この部分をバーコード６上で手動でスキャンすることにより、バーコードイメージリーダー２内部に装着されたＬＥＤ光源（図示せず）から照射された光によるバーコード６からの反射光が前記センサ２aに入力され、バーコード６の電話番号情報が読み取られる。
【００１８】
アダプタ本体１は、バーコードイメージリーダー２で読み取った電話番号情報を電話番号データに変換（バーコード情報変換手段）して記録し、電話又は携帯電話４側へ電話番号データとして出力する（データ変換手段）とともに、電話又は携帯電話４側で設定されている電話番号を変更するための書き込みを行う機能（制御手段）を有している。その詳細については後述する。
【００１９】
アダプタ本体１の上面には、電源スイッチ１aと番号スイッチ１bが装着されている。電源スイッチ１aは、電話番号変換装置への電源のオンオフを行う押しボタンスイッチで構成されている。
【００２０】
番号操作スイッチ１bは、電話番号変換装置が行う機能を選択するもので、「バーコード読み込み」、「携帯機種情報読み込み」、「番号選択」、「携帯電話書き込み」の４つのポジションを有している。各ポジションで行われる具体的な機能については後述する。
【００２１】
出力端子３は、電話または携帯電話４の拡張端子５に対応するコネクタを構成し、この出力端子３を介してアダプタ本体１と電話又は携帯電話５との間で信号の送受信を行うようになっている。
【００２２】
また、アダプタ本体１には、フロッピーディスク（登録商標）等のＩＣカード７が着脱自在なＩＣカード装着部８が形成されている。電話又は携帯電話装置４における電話番号に対応する電話番号データは、電話又は携帯電話装置の機種によってデータ数やデータ配列が異なっている。そのため、同じ番号から構成される電話番号データであっても、電話又は携帯電話の機種毎に異なる電話又は携帯電話書き込みデータに変換する必要がある。
ＩＣカード装着部８では、ＩＣカード７に記録されている電話又は携帯電話の機種によって異なる変換情報（データフォーマット、書き込むためのコマンド等）をアダプタ本体１側へ予め入力することにより、電話番号データを機種毎の電話又は携帯電話装置書き込みデータに変換可能としている。
【００２３】
次に、電話番号変換装置を有した電話又は携帯電話装置の構成について、図１のブロック図を参照しながら説明する。
電話番号変換装置を有した電話又は携帯電話装置は、番号操作部１１、バーコードリーダー部１２、ＲＡＭ部１３、ＲＯＭ部１４、外部記録部１５、電話又は携帯電話装置外部制御端子データ変換部１６、各ブロックの制御やデータ変換コントロール（電話又は携帯電話装置書き込みデータへの変換の制御、電話番号データへの変換の制御）を行うＣＰＵ（中央処理演算装置）１７から構成されている。各ブロックとＣＰＵ（中央演算処理装置）とはデータバスにより接続されている。
番号操作部１１、ＲＡＭ部１３、ＲＯＭ部１４、外部記録部１５、電話又は携帯電話外部制御端子データ変換部１６、ＣＰＵ（中央演算処理装置）１７はアダプタ本体１内に形成されている。
【００２４】
番号操作部１１は、ＣＰＵ１７に対し、バーコード読み取り、機種データの読み込み、番号選択、携帯電話へのデータ書き込みをスイッチ操作情報により与える機能を有している。具体的なスイッチ操作情報は、上述した番号操作スイッチ１ｂのポジションを切り換えることで行われる。
【００２５】
各ポジションのうち「バーコード読み込み」は、バーコードイメージリーダー２でバーコード６に印刷された電話番号情報（バーコード情報）の読み込みを行う際に選択するものである。
「電話又は携帯機種情報読み込み」は、電話又は携帯電話書き込みデータに変換するための機種データをＩＣカード装着部（外部記憶部１５）８から読み取りを行う際に選択するものである。機種データは、電話又は携帯電話の機種毎にデータフォーマットが異なるため、電話又は携帯電話側へ電話番号を書き込むためのコマンド及び電話番号データを機種毎のフォーマットに変更するためのデータである。
【００２６】
「番号選択」は、電話又は携帯電話へ書き込みを行いたい電話番号を選ぶ際に使用するもので、既に「バーコード読み込み」で読み取られた電話番号の番号データが複数記録されている場合には、複数の電話番号から選択できるようになっている。
【００２７】
「電話又は携帯電話書き込み」は、出力端子３が接続されている電話又は携帯電話４側へ、変更したい電話番号に対して電話又は携帯電話書き込みデータの書き込みを行う際に選択するものである。
【００２８】
バーコードリーダー部１２（バーコードイメージリーダー２）は、ＣＰＵ１７で制御され、バーコード情報を読み込む機能を有している。
【００２９】
ＲＡＭ部１３は、ＣＰＵ制御でＣＰＵ演算補助、バーコードデータ及び機種データの記憶を行う機能を有している。
【００３０】
ＲＯＭ部１４は、プログラムメモリ部を有し、このプログラムメモリ部にＣＰＵ１７の制御により全体のシステムを駆動させるプログラムを格納している。
【００３１】
外部記憶部１５（ＩＣカード装着部８）は、ＣＰＵ制御で外部に電話又は携帯電話固有の番号情報、書き込みの制御コードを記憶し、必要に応じて情報を提供する機能を有している。
【００３２】
電話又は携帯電話外部制御端子データ変換部１６（出力端子３）は、ＣＰＵ制御で電話番号変換装置から電話又は携帯電話外部入力端子（拡張端子４）へデータ変換書き込みを行う機能を有している。
【００３３】
次に、上記構成の電話番号変換装置を用いて電話又は携帯電話に電話番号を書き込む手順について、主として図３のフローチャート及び図２のブロック図を参照しながら説明する。
先ず、電話番号をバーコード６から読み取り、電話番号変換装置内に記憶する場合について説明する。
この場合、番号操作スイッチ１ｂを「バーコード読み込み」とし、（ステップ１０１）、バーコードイメージリーダー２（読取手段）でバーコード６からバーコード情報（電話番号情報）の読み込みを行う（ステップ１０２）。
【００３４】
バーコード情報（電話番号情報）は圧縮加工処理された状態となっているので、バーコードデータ解析を行い、この情報を通常の電話番号データに変換し（バーコード情報変換手段）（ステップ１０３）、ＲＡＭ部１３に解析データとして保存する（ステップ１０４）。  ＲＡＭ部１３には記憶容量に応じて複数の電話番号データが記憶できるようになっている。ＲＡＭ部１３に保存された電話番号データが複数存在する場合には、後述するように、番号操作スイッチ１ｂを「番号選択」とすることで選択可能なようになっている。
【００３５】
次に、ＩＣカード７から機種データを読み取り、電話番号変換装置内に記憶する場合について説明する。
この場合、番号操作スイッチ１ｂを「電話又は携帯電話機種情報読み込み」とし（ステップ２０１）、ＩＣカード７を外部記録部１５（ＩＣカード装着部８）に挿入してドライブし、機種データの読み込みを行う（ステップ２０２）。
読み取られた機種データは、ＲＡＭ部１３では、複数の機種データが記憶できるようになっている。ＲＡＭ部１３に保存された機種データが複数存在する場合には、後述するように、番号操作スイッチ１ｂを「電話又は携帯電話書き込み」とした場合、いづれか一つを選択できるようになっている。
【００３６】
以上の動作を行うことで、電話番号変換装置を有した電話又は携帯電話装置内に電話番号データと機種データとが記憶されていることになる。
そして、この状態で、電話又は携帯電話装置への電話番号の書き込みがなされる。電話又は携帯電話装置への書き込みを行う場合には、出力端子３（電話又は携帯電話装置外部制御端子データ変換部１６）に電話又は携帯電話装置４の拡張端子５が接続されている。
先ず、番号操作スイッチ１ｂを「番号選択」とし（ステップ３０１）、既にＲＡＭ部１３に記憶されている電話番号データから電話又は携帯電話装置へ書き込みを行いたい電話番号データを選択する（ステップ３０２）。
【００３７】
電話番号選択をした後、番号操作スイッチ１ｂを「電話又は携帯電話装置書き込み」とし（ステップ４０１）、既にＲＡＭ部１３に記憶されている機種データから電話番号を変更したい電話又は携帯電話４（電話番号変換装置の出力端子３に接続されている電話又は携帯電話装置）の機種を選択する（ステップ４０２）。
選択された電話番号データについては、機種毎に変更が必要な部分についての機種データ解析が行われ（ステップ３０３）、選択された機種の機種データについても、フォーマットやコマンドについての機種データ解析が行われる（ステップ２０４）。
【００３８】
続いて、選択された電話番号データを、選択された機種データを基に、電話又は携帯電話装置４の機種毎に異なる変換手順で変換し（ステップ４０３の機種データ変換処理）、機種毎の電話又は携帯電話装置書き込みデータに変換する（データ変換手段）（ステップ４０４）。
そして、この電話又は携帯電話装置書き込みデータをＣＰＵ制御（制御手段）により拡張コネクタを介して電話又は携帯電話装置４に書き込むことで、電話又は携帯電話装置側への書き込み作業が終了する（ステップ４０５）。
【００３９】
上述の電話番号変換装置を有した電話又は携帯電話装置によれば、バーコード６から読み取った電話番号情報を電話番号データに変換し、更に、電話又は携帯電話装置の機種毎に異なる電話又は携帯電話装置書き込みデータに変更し、電話又は携帯電話装置４の電話番号の書き込みを行うので、簡単且つ自動的に電話又は携帯電話の電話番号を変更することができる。
【００４０】
また、電話番号情報をバーコード６で表示したので、小さく且つ安価に提供でき、例えば電話番号ＣＤの付属物として簡単に配付することが可能となる。この時、バーコード６に表示されたバーコード情報について、電話番号情報を圧縮加工して印刷すれば、より小さくでき、配布性も良好となる。
【００４１】
また、バーコード６から読み取った電話番号データは、ＲＡＭ部１３で記憶されるので、読み取った複数の電話番号について選択し、電話又は携帯電話装置への電話番号書き込みデータとすることが可能となる。
【００４２】
ＩＣカード装着部８を有することにより、ＩＣカード７を取り替えることにより、該
ＩＣカード７に記録されている電話又は携帯電話装置の種類によって異なる機種データをデータ変換手段に与えることができ、電話又は携帯電話装置の機種により変換情報が異なっていても、バーコード６に表示する電話番号情報としての印刷は、一つのメロディに対して一種類とすることができる。
【００４３】
図４は、電話番号変換装置の実施形態の他の例を示すもので、装置本体１１に読取部２（バーコードイメージリーダー２）と、電話又は携帯電話装置４の拡張端子５に接続される出力端子３とを直接設け、装置本体１と一体化して構成したものである。図４（a）中、１aは電源スイッチである。
また、装置本体１には、図１の例と異なりＩＣカード装着部８を設けていない。
【００４４】
この例では、ＩＣカード装着部８を有していないため、バーコード６から読み取った電話又は携帯電話の電話番号データについて、電話又は携帯電話の機種毎に異なる電話又は携帯電話書き込みデータに変換することなく、読み取られた電話番号データが電話又は携帯電話書き込みデータとなっている。したがって、バーコード６には、予め適応機種が決められた電話番号情報を印刷する必要があるので、一つのメロディについて複数種のバーコード６を準備する必要がある。
【００４５】
本例によれば、読取手段２が電話番号変換装置を有した電話又は携帯電話装置本体１１に装着され、一体化した電話番号変換装置を有した電話又は携帯電話装置とするとともに、ＩＣカード装着部８を設けていないことにより、装置の小型化を図ることができる。
【００４６】
上述の各例では、電話番号情報がバーコード６に表示された例について説明したが、電話番号情報が記録された記録媒体は、バーコード６に限られることなく、磁気カード、フロッピーディスク（登録商標）、ＣＤディスク等を使用してもよい。
【図面の簡単な説明】
【００４７】
【図１】本考案の電話番号変換装置を有した電話又は携帯電話装置の実施の形態の一例を示すブロック説明図である。
【図２】電話又は携帯電話（ＴＶ受信機を合体したものを含む。）に接続した場合の電話番号変換装置の外観について、実施の形態の一例を示した斜視説明図である。
【図３】電話番号変換装置の番号操作部の各スイッチに対応するフローチャート図である。
【図４】（a）は電話番号変換装置の外観についての実施の形態の他の例を示した斜視説明図。（ｂ）はこの電話番号変換装置を電話又は携帯電話に接続した場合の斜視説明図である。
【符号の説明】
【００４８】
１    アダプタ本体      ２      バーコードイメージリーダー
３    出力端子          ４      携帯電話又は電話
５    拡張端子          ６      バーコード
７    ＩＣカード        ８      ＩＣカード装着部
１１  番号操作部        １２    バーコードリーダー部
１３  ＲＡＭ部          １４    ＲＯＭ部
１５  外部記録部        １６    電話又は携帯電話外部制御端子データ変換部
１７  ＣＰＵ（中央演算処理装置）  
【図１】
0003110382.tif 000003
【図２】
0003110382.tif 000004
【図３】
0003110382.tif 000005
【図４】
0003110382.tif 000006
【手続補正書】
【提出日】平成17年3月22日(2005.3.22)
【手続補正１】
【補正対象書類名】実用新案登録請求の範囲
【補正対象項目名】全文
【補正方法】変更
【補正の内容】
【実用新案登録請求の範囲】
【請求項１】
電話又は携帯電話の拡張コネクタに接続される出力端子を有し、該出力端子を前記拡張コネクタに接続することにより、前記電話又は携帯電話側に記憶されている電話番号データの変換を行う電話番号変換装置を有する電話又は携帯電話装置であって、電話番号情報が表示された印刷媒体又は記録された記録媒体から前記電話番号情報を読み取る手段と、前記読取手段で読み取った電話番号情報を電話又は携帯電話の電話番号データに変換する電話番号情報変換手段と、前記電話番号データを電話又は携帯電話書き込みデータに変換するデータ変換手段と、前記電話又は携帯電話書き込みデータを前記拡張コネクタを介して電話又は携帯電話側へ転送して書き込み、電話番号に対応する電話番号データの変換を行う制御手段とを具備することを特徴とする電話番号変換装置を有した電話又は携帯電話装置。
【請求項２】
電話番号情報変換手段で変換した電話番号データを記憶する記憶手段を有する請求項１に記載の電話番号変換装置を有した電話又は携帯電話装置。
【請求項３】
読取手段が電話番号変換装置本体に装着された請求項１又は2項に記載の電話番号変換装置を有した電話又は携帯電話装置。
【請求項４】
電話番号変換装置が電話又は携帯電話装置本体に装着された請求項１〜３のいずれか１項に記載の電話番号変換装置。
【請求項５】
電話又は携帯電話の拡張コネクタに接続される出力端子を有し、該出力端子を前記拡張コネクタに接続することにより、前記電話又は携帯電話側に記憶されている電話番号データの変換を行う電話番号変換装置を有する電話又は携帯電話装置であって、電話番号情報が、バーコードで表示されたバーコード情報を読み取る読取手段と、前記読取手段で読み取ったバーコード情報を電話又は携帯電話の電話番号データに変換するバーコード情報変換手段と、前記電話又は携帯電話書き込みデータを電話又は携帯電話の機種毎に異なる携帯電話書き込みデータに変換するデータ変換手段と、前記携帯電話書き込みデータを前記拡張コネクタを介して電話又は携帯電話側へ転送して書き込み電話に対応する電話番号データの変換を行う制御手段とを、具備することを特徴とする電話番号変換装置を有した電話又は携帯電話装置。
【請求項６】
バーコード情報は、電話番号情報を圧縮加工して又は圧縮加工しないで印刷する請求項５に記載の電話番号変換装置を有した電話又は携帯電話装置。
【請求項７】
バーコード情報変換手段で変換した電話番号データを記憶する記憶手段を有する請求項５又は６項に記載の電話番号変換装置を有した電話又は携帯電話装置。
【請求項８】
データ変換手段は、ICカードが着脱自在なICカード装着部を有し、該ICカードに記録されている電話又は携帯電話の機種によって異なる機種データにより、電話番号データを電話又は携帯電話書き込みデータに変換する請求項５〜７のいずれか１項に記載の電話番号変換装置を有した電話又は携帯電話装置。
【請求項９】
読取手段が電話番号変換装置本体に装着された請求項５〜８のいずれか1項に記載の電話番号変換装置を有した電話又は携帯電話装置。
【手続補正２】
【補正対象書類名】明細書
【補正対象項目名】００２１
【補正方法】変更
【補正の内容】
【００２１】
出力端子３は、電話または携帯電話４の拡張端子５に対応するコネクタを構成し、この出力端子３を介してアダプタ本体１と電話又は携帯電話４との間で信号の送受信を行うようになっている。
【手続補正３】
【補正対象書類名】明細書
【補正対象項目名】００３２
【補正方法】変更
【補正の内容】
【００３２】
電話又は携帯電話外部制御端子データ変換部１６（出力端子３）は、CPU制御で電話番号変換装置から電話又は携帯電話外部入力端子（拡張端子５）へデータ変換書き込みを行う機能を有している。
【手続補正４】
【補正対象書類名】明細書
【補正対象項目名】００４２
【補正方法】変更
【補正の内容】
【００４２】
ICカード装置部８を有することにより、ICカード７を取り替えることにより、該ICカード７に記録されている電話又は携帯電話装置の種類によって異なる機種データをデータ変換手段に与えることができ、電話又は携帯電話装置の機種により変換情報が異なっていても、バーコード６に表示する電話番号情報としての印刷は、一つの番号に対して一種類とすることができる。
【手続補正５】
【補正対象書類名】明細書
【補正対象項目名】００４３
【補正方法】変更
【補正の内容】
【００４３】
図4は、電話番号変換装置の実施形態の他の例を示すもので、装置本体２１に読取部２（バーコードイメージリーダー２）と、電話又は携帯電話装置４の拡張端子５に接続される出力端子３とを直接設け、装置本体１と一体化して構成したものである。図４（a）中、１aは電源スイッチである。
【手続補正６】
【補正対象書類名】明細書
【補正対象項目名】００４４
【補正方法】変更
【補正の内容】
【００４４】
この例では、ICカード装置部８を有していないため、バーコード６から読み取った電話又は携帯電話の電話番号データについて、電話又は携帯電話の機種毎に異なる電話又は携帯電話書き込みデータに変換することなく、読み取られた電話番号データが電話又は携帯電話書き込みデータとなっている。したがって、バーコード６には、予め適応機種が決められた電話番号情報を印刷する必要があるので、一つの番号について複数種のバーコード６を準備する必要がある。
【手続補正７】
【補正対象書類名】明細書
【補正対象項目名】００４５
【補正方法】変更
【補正の内容】
【００４５】
本例によれば、読取手段２が電話番号変換装置を有した電話又は携帯電話装置本体４に装置され、一体化した電話番号変換装置を有した電話又は携帯電話装置とするとともに、ICカード装着部を設けず小型化が図れる。
【手続補正８】
【補正対象書類名】明細書
【補正対象項目名】００４７
【補正方法】変更
【補正の内容】
【００４７】
【図１】本考案の電話番号変換装置を有した電話又は携帯電話装置の実施の形態の一例を示すブロック説明図である。
【図２】電話又は携帯電話に接続した場合の電話番号変換装置の外観について、実施の形態の一例を示した斜視説明図である。
【図３】電話番号変換装置の番号操作部の各スイッチに対応するフローチャート図である。
【図４】（ａ）は電話番号変換装置の外観についての実施の形態の他の例を示した斜視説明図。（ｂ）はこの電話番号変換装置を電話又は携帯電話に接続した場合の斜視説明図である。
【手続補正９】
【補正対象書類名】明細書
【補正対象項目名】００４８
【補正方法】変更
【補正の内容】
【００４８】
１    アダプタ本体                            ２    バーコードイメージリーダー
３    出力端子                                ４    携帯電話又は電話
５    拡張端子                                ６    バーコード
７    ICカード                               ８    ICカード装着部
１１    番号操作部                            １２    バーコードリーダー部
１３    RAM部                               １４    ROM部
１５    外部記録部                            １７    CPU（中央演算処理装置）
１６    電話又は携帯電話外部制御端子データ変換部
２１    電話番号変換装置
【手続補正１０】
【補正対象書類名】図面
【補正対象項目名】図２
【補正方法】変更
【補正の内容】
【図２】
0003110382.tif 000007
【手続補正１１】
【補正対象書類名】図面
【補正対象項目名】図４
【補正方法】変更
【補正の内容】
【図４】
0003110382.tif 000008